【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
巻線を有する固定子と、
回転方向に順次異なった極性のものを並べて構成した第１及び第２の界磁用磁石が回転軸上に設けられたものであって、該第１及び第２の界磁用磁石が前記固定子の磁極に対向するように前記固定子に対して配置された回転子とを有し、
前記第１及び第２の界磁用磁石の磁気作用力と前記回転子に発生するトルクの方向とに応じて前記第１及び第２の界磁用磁石が前記回転軸の軸方向と回転方向に変位できるように構成されている
ことを特徴とする回転電機。
【請求項２】
請求項１に記載の回転電機において、
前記回転子が低速で一方向又は他方向に回転する場合、前記第１及び第２の界磁用磁石の磁極中心を並べた状態が保持され、
前記回転子が高速で一方向に回転する場合、前記第１の界磁用磁石が保持された状態で前記第２の界磁用磁石が前記第１の界磁用磁石に対して変位させられ、前記第１及び第２の界磁用磁石の磁極中心を並べた状態から前記第１及び第２の界磁用磁石の磁極中心がずらされ、
前記回転子が高速で他方向に回転する場合、前記第２の界磁用磁石が保持された状態で前記第１の界磁用磁石が前記第２の界磁用磁石に対して変位させられ、前記第１及び第２の界磁用磁石の磁極中心を並べた状態から前記第１及び第２の界磁用磁石の磁極中心がずらされる
ことを特徴とする回転電機。
【請求項３】
請求項１に記載の回転電機において、
前記第１及び第２の界磁用磁石の磁気作用力と前記回転子に発生するトルクの方向とに応じて前記第１及び第２の界磁用磁石を前記回転軸に対してその軸方向と回転方向に可動させる機構と、
前記第１及び第２の界磁用磁石の可動を抑制する機構とを有する
ことを特徴とする回転電機。
【請求項４】
請求項３に記載の回転電機において、
前記可動機構は、
前記第１及び第２の界磁用磁石が前記回転軸に対して可動自在なように前記第１及び第２の界磁用磁石と前記回転軸とを結合するものであって、
前記第１及び第２の界磁用磁石に設けられたナット機構と、前記回転軸に設けられたボルト機構から構成されたネジ機構である
ことを特徴とする回転電機。
【請求項５】
請求項３に記載の回転電機において、
前記可動抑制機構は、
前記第１の界磁用磁石と前記第２の界磁用磁石との間の前記回転軸上に設けられたものと、
前記第１の界磁用磁石の前記第２の界磁用磁石側とは反対側及び前記第２の界磁用磁石の前記第１の界磁用磁石側とは反対側に設けられ、前記回転軸に沿って移動可能に構成されたものとを有する
ことを特徴とする回転電機。
【請求項６】
巻線を有する固定子と、
回転方向に順次異なった極性のものを並べて構成した第１乃至第３の界磁用磁石が回転軸上に設けられたものであって、該第１乃至第３の界磁用磁石が前記固定子の磁極に対向するように前記固定子に対して配置された回転子とを有し、
前記第１乃至第３の界磁用磁石の磁気作用力と前記回転子に発生するトルクの方向とに応じて、前記回転軸上に固定された前記第３の界磁用磁石の両端に位置する前記第１及び第２の界磁用磁石が前記回転軸の軸方向と回転方向に変位できるように構成されている
ことを特徴とする回転電機。
【請求項７】
請求項６に記載の回転電機において、
前記回転子が低速で一方向又は他方向に回転する場合、前記第１乃至第３の界磁用磁石の磁極中心を並べた状態が保持され、
前記回転子が高速で一方向に回転する場合、前記第１及び第３の界磁用磁石の磁極中心を並べた状態で前記第２の界磁用磁石が前記第３の界磁用磁石に対して変位させられ、前記第１乃至第３の界磁用磁石の磁極中心を並べた状態から前記第２及び第３の界磁用磁石の磁極中心がずらされ、
前記回転子が高速で他方向に回転する場合、前記第２及び第３の界磁用磁石の磁極中心を並べた状態で前記第１の界磁用磁石が前記第３の界磁用磁石に対して変位させられ、前記第１乃至第３の界磁用磁石の磁極中心を並べた状態から前記第１及び第３の界磁用磁石の磁極中心がずらされる
ことを特徴とする回転電機。
【請求項８】
請求項６に記載の回転電機において、
前記第１乃至第３の界磁用磁石の磁気作用力と前記回転子に発生するトルクの方向とに応じて前記第１及び第２の界磁用磁石を前記回転軸に対してその軸方向と回転方向に可動させる機構と、
前記第１及び第２の界磁用磁石の可動を抑制する機構とを有する
ことを特徴とする回転電機。
【請求項９】
請求項８に記載の回転電機において、
前記可動機構は、
前記第１及び第２の界磁用磁石が前記回転軸に対して可動自在なように前記第１及び第２の界磁用磁石と前記回転軸とを結合するものであって、
前記第１及び第２の界磁用磁石に設けられたナット機構と、前記回転軸に設けられたボルト機構から構成されたネジ機構である
ことを特徴とする回転電機。
【請求項１０】
請求項８に記載の回転電機において、
前記可動抑制機構は、前記第１の界磁用磁石の前記第２の界磁用磁石側とは反対側及び前記第２の界磁用磁石の前記第１の界磁用磁石側とは反対側に設けられ、前記回転軸に沿って移動可能に構成されたものである
ことを特徴とする回転電機。
【請求項１１】
請求項１又は６に記載の回転電機において、
前記巻線は、前記第１の界磁用磁石の変位或いは前記第２の界磁用磁石の変位に応じて進角が補正された電流の供給を受ける
ことを特徴とする回転電機。
【請求項１２】
請求項１又は６に記載の回転電機において、
前記第１及び第２の界磁用磁石と前記回転軸との間には、前記第１及び第２の界磁用磁石の運動を案内する支持機構が設けられている
ことを特徴とする回転電機。
【請求項１３】
請求項１又は６に記載の回転電機において、
前記第１及び第２の界磁用磁石は、前記回転軸と磁気的及び電気的に絶縁するスリーブを介して前記回転軸上に設けられている
ことを特徴とする回転電機。
【請求項１４】
請求項１３に記載の回転電機において、
前記スリーブは、鉄より電気抵抗率が高い非磁性体である
ことを特徴とする回転電機。
【請求項１５】
請求項５又は１０に記載の回転電機において、
前記第１の界磁用磁石の前記第２の界磁用磁石側及び前記第２の界磁用磁石の前記第１の界磁用磁石側にばねが設けられており、
該ばねは前記第１及び第２の界磁用磁石の運動を案内する
ことを特徴とする回転電機。
【請求項１６】
車輪を有する台車と、
該台車の動力源であって、前記車輪の車軸に動力を伝達する回転電機と、
外部から前記台車内に電力を取り入れる集電装置と、
前記回転電機の電力を制御する電力変換器とを有し、
前記回転電機は、
巻線を有する固定子と、
回転方向に順次異なった極性のものを並べて構成した第１及び第２の界磁用磁石が回転軸上に設けられたものであって、該第１及び第２の界磁用磁石が前記固定子の磁極に対向するように前記固定子に対して配置された回転子とを有するものであり、
前記第１及び第２の界磁用磁石の磁気作用力と前記回転子に発生するトルクの方向とに応じて、前記第１の界磁用磁石が第２の界磁用磁石に対して前記回転軸の軸方向と回転方向に変位できるように構成されたものである
ことを特徴とする搬送システム。
【請求項１７】
請求項１６に記載の搬送システムにおいて、
前記台車が低速度領域にある場合、前記第１及び第２の界磁用磁石の磁極中心を並べた状態が保持され、
前記台車が高速度領域にある場合、前記第１の界磁用磁石が前記第２の界磁用磁石に対して変位させられ、前記第１及び第２の界磁用磁石の磁極中心がずれる
ことを特徴とする搬送システム。
【請求項１８】
車輪を有する台車と、
該台車の動力源であって、前記車輪の車軸に動力を伝達する回転電機と、
外部から前記台車内に電力を取り入れる集電装置と、
前記回転電機の電力を制御する電力変換器とを有し、
前記回転電機は、
巻線を有する固定子と、
回転方向に順次異なった極性のものを並べて構成した第１及び第２の界磁用磁石が回転軸上に設けられたものであって、該第１及び第２の界磁用磁石が前記固定子の磁極に対向するように前記固定子に対して配置された回転子とを有するものであり、
前記第１及び第２の界磁用磁石の磁気作用力と前記回転子に発生するトルクの方向とに応じて前記第１及び第２の界磁用磁石が前記回転軸の軸方向と回転方向に変位できるように構成されたものである
ことを特徴とする搬送システム。
【請求項１９】
請求項１８に記載の搬送システムにおいて、
前記台車が低速度領域にあって一方向又は他方向に進行している場合、前記第１及び第２の界磁用磁石の磁極中心を並べた状態が保持され、
前記台車が高速度領域にあって一方向に進行している場合、前記第１の界磁用磁石が保持された状態で前記第２の界磁用磁石が前記第１の界磁用磁石に対して変位させられ、前記第１及び第２の界磁用磁石の磁極中心を並べた状態から前記第１及び第２の界磁用磁石の磁極中心がずらされ、
前記台車が高速度領域にあって他方向に進行している場合、前記第２の界磁用磁石が保持された状態で前記第１の界磁用磁石が前記第２の界磁用磁石に対して変位させられ、前記第１及び第２の界磁用磁石の磁極中心を並べた状態から前記第１及び第２の界磁用磁石の磁極中心がずらされる
ことを特徴とする搬送システム。
【請求項２０】
車輪を有する台車と、
該台車の動力源であって、前記車輪の車軸に動力を伝達する回転電機と、
外部から前記台車内に電力を取り入れる集電装置と、
前記回転電機の電力を制御する電力変換器とを有し、
前記回転電機は、
巻線を有する固定子と、
回転方向に順次異なった極性のものを並べて構成した第１乃至第３の界磁用磁石が回転軸上に設けられたものであって、該第１乃至第３の界磁用磁石が前記固定子の磁極に対向するように前記固定子に対して配置された回転子とを有するものであり、
前記第１乃至第３の界磁用磁石の磁気作用力と前記回転子に発生するトルクの方向とに応じて、前記回転軸上に固定された前記第３の界磁用磁石の両端に位置する前記第１及び第２の界磁用磁石が前記回転軸の軸方向と回転方向に変位できるように構成されたものである
ことを特徴とする搬送システム。
【請求項２１】
請求項２０に記載の搬送システムにおいて、
前記台車が低速度領域にあって一方向又は他方向に進行している場合、前記第１乃至第３の界磁用磁石の磁極中心を並べた状態が保持され、
前記台車が高速度領域にあって一方向に進行している場合、前記第１及び第３の界磁用磁石の磁極中心を並べた状態で前記第２の界磁用磁石が前記第３の界磁用磁石に対して変位させられ、前記第１乃至第３の界磁用磁石の磁極中心を並べた状態から前記第２及び第３の界磁用磁石の磁極中心がずらされ、
前記台車が高速度領域にあって他方向に進行している場合、前記第２及び第３の界磁用磁石の磁極中心を並べた状態で前記第１の界磁用磁石が前記第３の界磁用磁石に対して変位させられ、前記第１乃至第３の界磁用磁石の磁極中心を並べた状態から前記第１及び第３の界磁用磁石の磁極中心がずらされる
ことを特徴とする搬送システム。
【請求項２２】
請求項１６乃至２１のいずれかに記載の搬送システムを用いたことを特徴とする鉄道車両システム。
【手続補正２】
【補正対象書類名】明細書
【補正対象項目名】０００８
【補正方法】変更
【補正の内容】
【０００８】
【課題を解決するための手段】
本発明は、回転電機において、巻線を有する固定子と、回転方向に順次異なった極性のものを並べて構成した第１及び第２の界磁用磁石が回転軸上に設けられたものであって、この第１及び第２の界磁用磁石が固定子の磁極に対向するように固定子に対して配置された回転子とを有し、第１及び第２の界磁用磁石の磁気作用力と回転子に発生するトルクの方向とに応じて第１及び第２の界磁用磁石が回転軸の軸方向と回転方向に変位できるように構成されていることを特徴とする。また、本発明は、回転電機において、巻線を有する固定子と、回転方向に順次異なった極性のものを並べて構成した第１乃至第３の界磁用磁石が回転軸上に設けられたものであって、この第１乃至第３の界磁用磁石が固定子の磁極に対向するように固定子に対して配置された回転子とを有し、第１乃至第３の界磁用磁石の磁気作用力と回転子に発生するトルクの方向とに応じて、回転軸上に固定された第３の界磁用磁石の両端に位置する第１及び第２の界磁用磁石が回転軸の軸方向と回転方向に変位できるように構成されていることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明は、搬送システムにおいて、車輪を有する台車と、この台車の動力源であって、車輪の車軸に動力を伝達する回転電機と、外部から前記台車内に電力を取り入れる集電装置と、回転電機の電力を制御する電力変換器とを有し、回転電機は、巻線を有する固定子と、回転方向に順次異なった極性のものを並べて構成した第１及び第２の界磁用磁石が回転軸上に設けられたものであって、この第１及び第２の界磁用磁石が固定子の磁極に対向するように固定子に対して配置された回転子とを有するものであり、第１及び第２の界磁用磁石の磁気作用力と回転子に発生するトルクの方向とに応じて、第１の界磁用磁石が第２の界磁用磁石に対して回転軸の軸方向と回転方向に変位できるように構成されたものであることを特徴とする。また、本発明は、搬送システムシステムにおいて、車輪を有する台車と、この台車の動力源であって、車輪の車軸に動力を伝達する回転電機と、外部から前記台車内に電力を取り入れる集電装置と、回転電機の電力を制御する電力変換器とを有し、回転電機は、巻線を有する固定子と、回転方向に順次異なった極性のものを並べて構成した第１及び第２の界磁用磁石が回転軸上に設けられたものであって、この第１及び第２の界磁用磁石が固定子の磁極に対向するように固定子に対して配置された回転子とを有するものであり、第１及び第２の界磁用磁石の磁気作用力と前記回転子に発生するトルクの方向とに応じて第１及び第２の界磁用磁石が回転軸の軸方向と回転方向に変位できるように構成されたものであることを特徴とする。さらに、本発明は、搬送システムにおいて、車輪を有する台車と、この台車の動力源であって、車輪の車軸に動力を伝達する回転電機と、外部から前記台車内に電力を取り入れる集電装置と、回転電機の電力を制御する電力変換器とを有し、回転電機は、巻線を有する固定子と、回転方向に順次異なった極性のものを並べて構成した第１乃至第３の界磁用磁石が回転軸上に設けられたものであって、この第１乃至第３の界磁用磁石が前記固定子の磁極に対向するように前記固定子に対して配置された回転子とを有するものであり、第１乃至第３の界磁用磁石の磁気作用力と回転子に発生するトルクの方向とに応じて、回転軸上に固定された第３の界磁用磁石の両端に位置する第１及び第２の界磁用磁石が回転軸の軸方向と回転方向に変位できるように構成されたものであることを特徴とする。